【手続補正書】
【提出日】平成19年10月11日(2007.10.11)
【手続補正１】
【補正対象書類名】明細書
【補正対象項目名】特許請求の範囲
【補正方法】変更
【補正の内容】
【特許請求の範囲】
【請求項１】
ディスクアレイ装置に交流電力を供給する無停電電源装置であって、前記ディスクアレイ装置の起動、停止を制御するホストコンピュータと前記無停電電源装置との間及び前記ディスクアレイ装置と前記無停電電源装置との間で信号を授受できるディスクアレイ装置用無停電電源装置。
【請求項２】
前記無停電電源装置は、ＬＡＮカード及びインターフェースボードを備えており、前記ＬＡＮカード及び前記インターフェースボードを介してホストコンピュータ及びディスクアレイ装置にそれぞれ接続されたことを特徴とする請求項１記載のディスクアレイ装置用無停電電源装置。
【請求項３】
前記請求項１又は２記載の無停電電源装置から交流電力を供給されるディスクアレイ装置を複数組有し、該複数組のディスクアレイ装置がホストコンピュータとＬＡＮ及びＳＣＳＩを介して接続されていることを特徴とするディスクアレイシステム。
【請求項４】
無停電電源装置から交流電力を供給されるディスクアレイ装置又は該ディスクアレイ装置を複数組有するディスクアレイシステムの起動方法であって、以下のステップを含むことを特徴とする。
ａ．無停電電源装置の起動を確認した後に、ホストコンピュータがディスクアレイ装置の起動命令（ＤＦ起動命令）を出力するステップ、
ｂ．前記ＤＦ起動命令の確認に応じて、無停電電源装置がディスクアレイ装置に交流電力を供給するとともに起動ＯＫ信号を出力するステップ、
ｃ．前記起動ＯＫ信号に応じて、ディスクアレイ装置が起動を開始するステップ、
ｄ．該ディスクアレイ装置の起動完了の後に、該ディスクアレイ装置が、無停電電源装置を介してホストコンピュータにディスクアレイ装置の準備完了信号を送出するステップ、
ｅ．前記準備完了信号の確認に応じて、ホストコンピュータの起動を開始するステップ。
【請求項５】
無停電電源装置から交流電力を供給されるディスクアレイ装置又は該ディスクアレイ装置を複数組有するディスクアレイシステムの停止方法であって、以下のステップを含むことを特徴とする。
ａ．ホストコンピュータが、ＵＰＳシャットダウン命令を送出するステップ、
ｂ．無停電電源装置が、ＵＰＳシャットダウン信号を確認した後、当該ディスクアレイ装置に対して、計画停止信号を出力するステップ、
ｃ．ディスクアレイ装置が、計画停止信号の受信に応じて、当該ディスクアレイ装置の計画停止を実行するステップ、
ｄ．ディスクアレイ装置の計画停止が完了した後、当該無停電電源装置に対してＯＦＦ−ＯＫ信号を出力するステップ、
ｅ．無停電電源装置が、前記ＯＦＦ−ＯＫ信号を確認した後、当該無停電電源装置を停止させるステップ。
【請求項６】
請求項５記載のＵＰＳシャットダウン命令は、無停電電源装置から送出された停電検出信号又はＵＰＳ障害検出信号をホストコンピュータが確認した後に送出されたものであることを特徴とするディスクアレイシステムの停止方法。
【手続補正２】
【補正対象書類名】明細書
【補正対象項目名】０００４
【補正方法】変更
【補正の内容】
【０００４】
【課題を解決するための手段】
上記課題を解決するために、本発明では、ディスクアレイ装置に交流電力を供給する無停電電源装置であって、前記ディスクアレイ装置の起動、停止を制御するホストコンピュータと前記無停電電源装置との間及び前記ディスクアレイ装置と前記無停電電源装置との間で信号を授受できるようにして、システムの運用を的確に行なうようにしている。（請求項１）
また、前記無停電電源装置は、ＬＡＮカード及びインターフェースボードを備えており、前記ＬＡＮカード及び前記インターフェースボードを介してホストコンピュータ及びディスクアレイ装置にそれぞれ接続されたことを特徴とする。（請求項２）
また、前記請求項１又は２記載の無停電電源装置から交流電力を供給されるディスクアレイ装置を複数組有し、該複数組のディスクアレイ装置がホストコンピュータとＬＡＮ及びＳＣＳＩを介して接続されていることを特徴とする。（請求項３）
また、無停電電源装置から交流電力を供給されるディスクアレイ装置又は該ディスクアレイ装置を複数組有するディスクアレイシステムの起動方法であって、以下のステップを含むことを特徴とする。
ａ．無停電電源装置の起動を確認した後に、ホストコンピュータがディスクアレイ装置の起動命令（ＤＦ起動命令）を出力するステップ、
ｂ．前記ＤＦ起動命令の確認に応じて、無停電電源装置がディスクアレイ装置に交流電力を供給するとともに起動ＯＫ信号を出力するステップ、
ｃ．前記起動ＯＫ信号に応じて、ディスクアレイ装置が起動を開始するステップ、
ｄ．該ディスクアレイ装置の起動完了の後に、該ディスクアレイ装置が、無停電電源装置を介してホストコンピュータにディスクアレイ装置の準備完了信号を送出するステップ、
ｅ．前記準備完了信号の確認に応じて、ホストコンピュータの起動を開始するステップとによって、システムの起動を自動的に実行するようにしている。（請求項４）
また、無停電電源装置から交流電力を供給されるディスクアレイ装置又は該ディスクアレイ装置を複数組有するディスクアレイシステムの停止方法であって、以下のステップを含むことを特徴とする。
ａ．ホストコンピュータが、ＵＰＳシャットダウン命令を送出するステップ、
ｂ．無停電電源装置が、ＵＰＳシャットダウン信号を確認した後、当該ディスクアレイ装置に対して、計画停止信号を出力するステップ、
ｃ．ディスクアレイ装置が、計画停止信号の受信に応じて、当該ディスクアレイ装置の計画停止を実行するステップ、
ｄ．ディスクアレイ装置の計画停止が完了した後、当該無停電電源装置に対してＯＦＦ−ＯＫ信号を出力するステップ、
ｅ．無停電電源装置が、前記ＯＦＦ−ＯＫ信号を確認した後、当該無停電電源装置を停止させるステップとによって、システムの停止を自動的に実行するようにしている。（請求項５）
また、請求項５記載のＵＰＳシャットダウン命令は、無停電電源装置から送出された停電検出信号又はＵＰＳ障害検出信号をホストコンピュータが確認した後に送出されたものであることを特徴とする。（請求項６）
【手続補正３】
【補正対象書類名】明細書
【補正対象項目名】００１７
【補正方法】変更
【補正の内容】
【００１７】
【発明の効果】
請求項１記載の発明では、ディスクアレイ装置に交流電力を供給する無停電電源装置であって、前記ディスクアレイ装置の起動、停止を制御するホストコンピュータと前記無停電電源装置との間及び前記ディスクアレイ装置と前記無停電電源装置との間で信号を授受できるようにして、システムの運用を的確に行なうという効果がある。
【手続補正４】
【補正対象書類名】明細書
【補正対象項目名】００１８
【補正方法】変更
【補正の内容】
【００１８】
また、請求項２記載の発明では、前記無停電電源装置は、ＬＡＮカード及びインターフェースボードを備えており、前記ＬＡＮカード及び前記インターフェースボードを介してホストコンピュータ及びディスクアレイ装置にそれぞれ接続されたことによって、ディスクアレイ装置の増設等を効率良く行なえるという効果が得られる。
また、請求項３記載の発明では、前記請求項１又は２記載の無停電電源装置から交流電力を供給されるディスクアレイ装置を複数組有し、該複数組のディスクアレイ装置がホストコンピュータとＬＡＮ及びＳＣＳＩを介して接続されていること
よって、ホストコンピュータ及びディスクアレイ装置と無停電電源装置との間の状態信号の送受信を容易にし、ディスクアレイ装置とホストコンピュータよりなるシステムの起動、停止を自動的に実行できるという効果が得られるとともに、無停電電源装置に設けられたホストコンピュータ及びディスクアレイ装置との間のインタフェースをＬＡＮボード及びインタフェイスボードとすることによって、ディスクアレイ装置の増設等を効率良く行なえるという効果が得られる。
【手続補正５】
【補正対象書類名】明細書
【補正対象項目名】００１９
【補正方法】変更
【補正の内容】
【００１９】
また、請求項４記載の発明では、ディスクアレイシステムの通常時の起動フローを定めることによって、システムの自動的な起動が可能になるという効果が得られる。
【手続補正６】
【補正対象書類名】明細書
【補正対象項目名】００２０
【補正方法】変更
【補正の内容】
【００２０】
また、請求項５及び６記載の発明では、停電時の停止、無停電電源装置の障害時の停止のフローを定めることによって、ディスクアレイ装置を計画的に停止した後に、無停電電源装置の停止が自動的に行なえるという効果が得られる。